(57)【要約】      （修正有）【課題】衣服に衣装カバーが掛けられた状態であっても容易に衣服のみを取り外すことができる衣服ハンガーを提供すること。【解決手段】左右の衣服用肩掛け部１０，１０と、前記左右の衣服用肩掛け部の中央から上方に突出する連結部２と、前記連結部の上部に設けられたフック部３とを備えた衣服ハンガーにおいて、衣服用肩掛け部又は連結部に、衣服用肩掛け部の上方に且つ略平行に配置された衣装カバー用肩掛け部４，４を設けてある。【選択図】図２
2006122660.tif 000002
【特許請求の範囲】
【請求項１】
左右の衣服用肩掛け部と、前記左右の衣服用肩掛け部の中央から上方に突出する連結部と、前記連結部の上部に設けられたフック部とを備えた衣服ハンガーにおいて、衣服用肩掛け部又は連結部に、衣服用肩掛け部の上方に且つ略平行に配置された衣装カバー用肩掛け部を設けてあることを特徴とする衣服ハンガー。
【請求項２】
衣服用肩掛け部と衣装カバー用肩掛け部との間の相対変位が可能であることを特徴とする請求項１記載の衣服ハンガー。
【発明の詳細な説明】
【技術分野】
【０００１】
この発明は、衣服ハンガーに関するものである。
【背景技術】
【０００２】
衣服を衣服ハンガーに掛けた状態でタンス等に長期間収納しておくと、衣服が埃等により汚れることがあり、このためお気に入りの衣服や高級な衣服は衣服ハンガーに掛けた上から衣装カバーをかけるようにしている。
【０００３】
衣装カバーは通常、前開きになっており、その上端中央部には衣装ハンガーのフック部を挿入する孔が形成されている（例えば、特許文献１。）が、衣服ハンガーに掛けられた衣服の上から衣装カバーを掛けた状態では、衣服の肩上面と衣装カバーの肩内面とが接触している。
【０００４】
したがって、衣装カバーを前開きした状態であっても衣服のみ衣服ハンガーから外すことは非常に困難であった。
【０００５】
近年、衣服ハンガーを取り扱う業界では、衣服に衣装カバーが掛けられた状態であっても容易に衣服のみを取り外すことができる衣服ハンガーが開発されることを待ち望んでいる。
【特許文献１】実開平６−１０１８０
【発明の開示】
【発明が解決しようとする課題】
【０００６】
そこで、この発明では、衣服に衣装カバーが掛けられた状態であっても容易に衣服のみを取り外すことができる衣服ハンガーを提供することを課題とする。
【課題を解決するための手段】
【０００７】
（請求項１記載の発明）
この発明の衣服ハンガーは、左右の衣服用肩掛け部と、前記左右の衣服用肩掛け部の中央から上方に突出する連結部と、前記連結部の上部に設けられたフック部とを備えた衣服ハンガーにおいて、衣服用肩掛け部又は連結部に、衣服用肩掛け部の上方に且つ略平行に配置された衣装カバー用肩掛け部を設けてある。
（請求項２記載の発明）
この発明の衣服ハンガーは、上記請求項１記載の発明に関し、衣服用肩掛け部と衣装カバー用肩掛け部との間の相対変位が可能である。
【発明を実施するための最良の形態】
【０００８】
以下にこの発明の衣服ハンガーＨを実施するための最良の形態として実施例について詳しく説明する。
【実施例１】
【０００９】
図１はこの発明の実施例１の衣服ハンガーＨの正面図、図２は前記衣服ハンガーＨの衣服用肩掛け部１０に衣服８を掛けた後に衣装カバー用肩掛け部４に衣装カバー９を掛けた状態を示す斜視図を示している。
（この衣服ハンガーＨの基本的構成について）
この衣服ハンガーＨは、図１や図２に示すように、ハンガー本体１と、前記ハンガー本体１の頂部に設けられた連結部２と、前記連結部２の上部に設けられたフック部３とを備え、前記ハンガー本体１は、左右の衣服用肩掛け部１０，１０と、これらの外端相互を繋ぐ吊り下げ部１１から構成されている。
【００１０】
ここで、この実施例の衣服ハンガーＨでは、図１や図２に示すように、上記左右の衣服用肩掛け１０，１０の上方にはこれと略平行に設けられた衣装カバー用肩掛け部４，４が配置されており、前記衣装カバー用肩掛け部４，４の各内端部分は縦軸４０を介して正面視で前後方向に回動自在に取り付られている。なお、衣服用肩掛け１０と衣装カバー用肩掛け部４との隙間Ｇは、衣服８の肩部分が衣服用肩掛け１０，１０に掛けられた状態において、衣服８の肩部外面と衣装カバー用肩掛け部４の下部との間には隙間が空いているような大きさに設定されている。
（この衣服ハンガーＨの優れた機能について）
この衣服ハンガーＨは、以下の(1)〜(3)の手順で使用することにより、従来の衣服ハンガーにはない極めて優れた機能を奏する。
(1)左右の衣服用肩掛け１０，１０に衣服８の両肩部分を掛ける。この状態では、
衣服８の肩部外面と衣装カバー用肩掛け部４の下面との間には隙間が空いており、衣装カバー用肩掛け部４，４は自由に正面視で前後方向に回動自在である。(2)次に、衣装カバー用肩掛け部４，４に衣装カバー９を掛ける。この状態では通常の衣服ハンガーＨの場合と同様に衣服８は衣装カバー９により完全に覆われた状態になり、埃等により衣服８が汚れることはない。
(3) 続いて、衣装カバー９内から衣服８を取り出す場合、衣装カバー用肩掛け部４，４を正面視で前又は後方向に回動させ、衣服用肩掛け部１０に対して、衣装カバー用肩掛け部４を位置ズレ（変位）させる。この作業は、衣服８の肩部外面と衣装カバー用肩掛け部４の下面との間には隙間が空いているから、極めて容易にできる。その後衣服８をハンガー本体１からずらすだけで、衣服８は衣装カバー９から容易に取り出すことができる。
【実施例２】
【００１１】
図３はこの発明の実施例２の衣服ハンガーＨの正面図を示している。
【００１２】
この衣服ハンガーＨは、図３に示すように、ハンガー本体１と、前記ハンガー本体１の頂部に設けられた連結部２と、前記連結部２の上部に設けられたフック部３とを備え、前記ハンガー本体１は、左右の衣服用肩掛け部１０，１０と、これらの外端相互を繋ぐ吊り下げ部１１から構成されている点は実施例１と同様である。
【００１３】
ここで、この実施例の衣服ハンガーＨでは、図３に示すように、連結部２に対して衣装カバー用肩掛け部４，４を球面対偶状態（連結部２側の球殻４０に衣装カバー用肩掛け部４の球体４１が嵌まり込んでなる）に取り付けてあり、前記球面対偶の状態は、衣装カバー用肩掛け部４，４にある程度以上の力を加えたときに初めて衣服用肩掛け部１０，１０に対して移動できるようになっている。なお、衣服用肩掛け１０と衣装カバー用肩掛け部４との隙間Ｇは、実施例１と同様に、上着の肩部分が衣服用肩掛け１０，１０に掛けられた状態において、衣服８の肩部外面と衣装カバー用肩掛け部４の下部との間には隙間が空いているような大きさに設定されている。
【００１４】
したがって、この実施例２の衣服ハンガーＨにおいても上記実施例１の衣服ハンガーＨと同様の機能を奏することが明らかである。
【実施例３】
【００１５】
図４はこの発明の実施例３の衣服ハンガーＨの正面図を示している。
【００１６】
この実施例３の衣服ハンガーＨは、図４に示すように、連結部２、フック部３及び衣装カバー用肩掛け部４を一体形成して成り、この一体物をハンガー本体１
の頂部に結合部材５を介して取り付けている。
【００１７】
ここで、上記結合部材５は、図４に示すように、頭付き軸部５０と、これに外挿される圧縮バネ５１とからなり、前記圧縮バネ５１の付勢力を利用して離脱不能にしている。つまり、上記一体物に対してハンガー本体１に引き下げる力が加わると、頭付き軸部５０の頭部分が圧縮バネ５１を押し縮め、衣服用肩掛け部１０，１０に対して衣装カバー用肩掛け部４，４が離脱不能に離れるようになっている。なお、この実施例３においては、衣服用肩掛け部１０，１０に対して衣装カバー用肩掛け部４，４が離脱不能に離れた状態において、衣服８の肩部外面と衣装カバー用肩掛け部４の下部との間には隙間が空いているような大きさに設定されている。
【００１８】
したがって、この実施例３の衣服ハンガーＨにおいても上記実施例１の衣服ハンガーＨと同様の機能を奏することが明らかである。
【実施例４】
【００１９】
図５はこの発明の実施例４の衣服ハンガーＨの正面図を示している。
【００２０】
この実施例４の衣服ハンガーＨは、図５に示すように、軸状の連結部２、フック部３及び衣装カバー用肩掛け部４を一体形成して成り、前記連結部２をハンガー本体１の頂部に設けた貫通孔１２に回動自在に且つ抜け止め状態に圧入するようにして構成されている。
【００２１】
この実施例４の衣服ハンガーＨでは、衣服用肩掛け部１０，１０に対して、衣装カバー用肩掛け部４，４を相対回動（変位）させることにより、上記実施例１の衣服ハンガーＨとほぼ同様の機能を奏する。
【実施例５】
【００２２】
図６はこの発明の実施例５の衣服ハンガーＨの正面図を示している。
【００２３】
この実施例５の衣服ハンガーＨは、通常はバネ等の力で実線で示した状態を保っているが、ハンガー本体１が図６の実線の状態から二点鎖線の状態に折り畳むことができる（変位可能）ようになっており、これにより上記実施例１の衣服ハンガーＨと同様の機能を奏するものとしている。なお、図６中、符号Ｐで示したものはピンである。
【実施例６】
【００２４】
図７はこの発明の実施例６の衣服ハンガーＨの正面図を示している。
【００２５】
上記した実施例１〜５は全て、衣服用肩掛け部１０と衣装カバー用肩掛け部４
との間の相対変位が可能であるが、この実施例６は前記相対変位はしないものである。したがって、上記実施例１〜５のものと同様の機能を生じるものとするために、衣服用肩掛け１０と衣装カバー用肩掛け部４との隙間Ｇは、上着の肩部分が衣服用肩掛け１０，１０に掛けられた状態において、上着の外面と衣装カバー用肩掛け部４の下部との間に比較的大きな隙間が空いているような大きさに設定されている。
（その他）
上記実施例１〜６は、一部の実施例であり、これに限定されるものではない。つまり、左右の衣服用肩掛け部と、前記左右の衣服用肩掛け部の中央から上方に突出する連結部と、前記連結部の上部に設けられたフック部とを備えた衣服ハンガーにおいて、衣服用肩掛け部又は連結部に、衣服用肩掛け部の上方に且つ略平行に配置された衣装カバー用肩掛け部を設けてある、ものは全てこの発明の技術的範囲に属するものである。
【図面の簡単な説明】
【００２６】
【図１】この発明の実施例１の衣服ハンガーの正面図。
【図２】前記衣服ハンガーの衣服用肩掛け部に衣服を掛けた後に衣装カバー用肩掛け部に衣装カバーを掛けた状態を示す斜視図。
【図３】この発明の実施例２の衣服ハンガーの正面図。
【図４】この発明の実施例３の衣服ハンガーの正面図。
【図５】この発明の実施例４の衣服ハンガーの正面図。
【図６】この発明の実施例５の衣服ハンガーの正面図。
【図７】この発明の実施例６の衣服ハンガーの正面図。
【符号の説明】
【００２７】
１      ハンガー本体
１０    衣服用肩掛け部
１１    吊り下げ部
２      連結部
３      フック部
４      衣装カバー用肩掛け部
８      衣服
９      衣装カバー
【図１】
2006122660.tif 000003
【図２】
2006122660.tif 000004
【図３】
2006122660.tif 000005
【図４】
2006122660.tif 000006
【図５】
2006122660.tif 000007
【図６】
2006122660.tif 000008
【図７】
2006122660.tif 000009